(57)【特許請求の範囲】
【請求項１】
可視面（１１）を有し、前記可視面（１１）に略直交する方向で組立方向（Ｄ）と同一方向に形成された組立要素（２）を有する表示要素（１）を支持体（３）に固定・係止する装置であって、前記装置が、前記組立要素（２）を少なくとも１つの係止要素（４）を含み、前記係止要素（４）が、前記表示要素（１）の可視面（１１）側からアクセス可能であり、
前記係止要素（４）の支持体（５）を含み、少なくとも１つのボア（５１）が、前記表示要素（１）の前記可視面（１１）側に、前記表示要素（１）の周縁部で、前記係止要素（４）の支持体（５）内に配置され、
前記係止要素（４）が、前記ボア（５１）内に係合する軸（４１）と、頭部（４２）と、前記頭部（４２）と同心であるが、その周縁部の一部に及ぶだけである切頂カラー（４３）とを含み、
前記カラー（４３）が、前記表示要素の外部に向かって配置される前記組立要素（２）の切り欠き（２１）内に係合される
ことを特徴とする装置。
【請求項２】
前記カラー（４３）に選択された材料が、前記組立要素（２）の材料よりも硬質である請求項１に記載の装置。
【請求項３】
前記係止要素（４）が、前記表示要素（１）によって部分的に覆われることを特徴とする請求項１または２に記載の固定及び係止装置。
【請求項４】
可視面（１１）を有し、前記可視面（１１）に略直交する方向で組立方向（Ｄ）と同一方向に形成された組立要素（２）を有する表示要素（１）を支持体（３）に固定・係止する方法であって、
−  組立方向（Ｄ）に、少なくとも１つの組立要素（２）を使用して支持体（３）上に前記表示要素（１）を組み立てるステップと、
−  係止要素（４）を使用して前記組立要素（２）を係止するステップとを含み、
前記係止ステップが、前記組立ステップ（Ａ）の直後に実行され、
前記係止ステップが、前記係止要素（４）の頭部（４２）を回転させることによって達成され、前記係止要素（４）が、前記表示要素（１）の可視面（１１）側から組立方向（Ｄ）でアクセス可能であり、
前記係止要素（４）が、前記頭部（４２）と同心であるが、その周縁部の一部に及ぶだけであり、前記係止要素の前記頭部（４２）の前記回転中に、前記表示要素の外部に向かって配置される前記組立要素（２）の切り欠き（２１）内に係合される切頂カラー（４３）を含むことを特徴とする方法。
【発明の詳細な説明】
【技術分野】
【０００１】
本発明は、時計製作術の分野に関係する。更に具体的には、腕時計の文字盤のような表示部材を固定する方法に関する。本発明は、この固定方法を実施するために表示装置を固定及び係止する装置にも関する。
【背景技術】
【０００２】
プレート又は腕時計ムーブメント上に文字盤を組み立てるために、特に中級及び高級腕時計に関して足部を有する文字盤が知られている。文字盤の下に突き出る部分を形成する足部は一般的に、直接文字盤と一体的に加工されるよりもむしろ、はんだ付けされ、次に文字盤下の凹部に押し込まれる。変形例は、文字盤内に孔を加工し、かつこれらのオリフィスに足部を押し込むことからなる。
【０００３】
文字盤足部を押し込み、その位置を係止することに代わる手段として、又はそれに加えて、キー又はねじ釘を使用する他の既知の固定方法及び装置がある。しかしながら、この場合にねじ釘又はキーの操作は、特に係止部分を隠すことにより腕時計の魅力的な外観を維持するために、操作が文字盤の側面又は裏面を介するので、比較的実際的でない。後者の場合に、例えば出願人による特許文献１に開示された解決法に関しては、文字盤は、係止部分を操作するために、プレートに組み立てられた後に向きを変えねばならず、このことは、組立工程中に追加の取扱ステップを必要とする。
【０００４】
それ故に、既知の先行技術の制約のない、表示要素を係止するための解決法が必要である。
【先行技術文献】
【特許文献】
【０００５】
【特許文献１】仏国特許第２３２４０３６号明細書
【発明の概要】
【発明が解決しようとする課題】
【０００６】
実施に時間がかからず、より実際的である固定装置及び方法を提案することが、本発明の目的である。
【課題を解決するための手段】
【０００７】
これらの目的は、表示要素の可視面から操作可能な係止要素を含むことを特徴とする請求項１に記載の表示要素を固定及び係止する装置によって達成される。
【０００８】
これらの目的は、文字盤係止ステップが、文字盤組立ステップの直後に実行されることを特徴とする請求項７に記載の文字盤を固定する方法によっても達成される。
【０００９】
提案された解決法の一つの利点は、係止作業が、文字盤組立作業の直後に、いかなる中間ステップもなしに実行可能なことである。それにより全体的組立時間が短縮される。
【００１０】
提案された解決法の追加の利点は、係止要素へのアクセスしやすさのおかげで、文字盤係止作業が簡単になることであり、このことは、取扱を容易にする。
【００１１】
従って生産収率は、特に自動組立ラインの生産に関して、大幅に改善される。
【００１２】
他の特徴及び利点は、種々の好ましい実施態様の詳細な説明及び添付図面に更に明瞭に現れる。
【図面の簡単な説明】
【００１３】
【図１】先行技術から知られている文字盤を係止する装置の断面図である。
【図２Ａ】本発明の好ましい実施態様による、プレート上に組み立てられた文字盤の平面図を示す。
【図２Ｂ】本発明の好ましい実施態様による、プレート上に組み立てられた文字盤の断面図を示す。
【発明を実施するための形態】
【００１４】
図１は、先行技術による文字盤１’を係止するために通常使用される解決法を示す。文字盤足部２’は、プレート３’内の第１ボア３１’内に係合され、かつ係止キー４’が、プレート３’の文字盤１’と反対側に加工された第２ボア３２’内に係合される。係止キー４’は、プレート３’の内側に向かって配置された第２ボア３２内に係合された軸４１’と、プレート３’の反対側から操作可能な頭部４２’と、頭部４２’と同軸であるが、その周縁部の一部のみに及ぶカラー４３’から形成される。軸４１’は、第２ボア３２’内に押し込まれ、頭部４２’を回転駆動することによりカラー４３’が、足部を係止するために、前記足部の厚みを貫通するナイフのように動くようになる。しかしながら、係止キー４’及び文字盤１’が、プレート３’の両側に位置するので、一旦文字盤がプレート上に取り付けられると、係止キー４’にアクセスするにはプレート３’をひっくり返すことがなおも必要であり、これは追加の取扱ステップ及び適切な工具を生産ライン上に必要とする。
【００１５】
本発明による方法及び装置は、支持体３上に組み立てるための１つ以上の固定要素２と、係止支持体５に挿入される１つ以上の係止要素４とを備えた表示要素１に、一般的には応用される。この係止支持体５は、支持体３と別個であっても良い。本発明の好ましい変形例によれば、支持体３は、例えばプレート３’からなっても良く、係止支持体５は、腕時計の側からなっていても良い。
【００１６】
図２Ａは、本発明の好ましい変形例による固定及び係止装置の平面図を示す。表示要素１は、例えば概して文字盤であるが、ここでは、可視面１１によって上方から見られるＬＣＤ（液晶ディスプレイ）タイプのデジタル表示手段と、表示要素１によって部分的に覆われる複数の係止手段４とを含む。係止要素の頭部４２が部分的に隠されるので、この構成は、本発明による装置を使用する腕時計に更に魅力的な外観を与える。更に、この構成は、係止要素支持体５上で表示要素支持体３が占める幅の全体的寸法を最小限に抑える。これら２つの支持体は、同じ単一の部品によって形成できる。従って、表示要素１の周縁部での係止要素４の空間要求が、減少し、かつ所与の表面積に関して他の部分を更に容易に収容できるようにする。
【００１７】
図２Ｂは、Ａ−Ａ軸に沿った係止位置での図２Ａの固定及び係止装置の断面図を示す。図２Ｂは、表示要素１、及び頂部に表示要素１の可視側面１１、表示要素支持体３のボア３１に挿入される表示手段組立要素２、並びに切頂カラー４３を有する係止要素軸４１及び係止要素頭部４２を示す。例示した好ましい実施態様によれば、切頂面４４は、ここでは電池を収容するための電池室６と表示要素３２の周縁側壁との間の間隙によって形成されるキャビティに、係止要素４を容易に挿入できるようにする。この切頂面４４は、組立要素２に対向した係止要素４の位置決めを決定し、これにより、係止要素４を組立方向Ｄに支持体５のボア５１まで移動させることが可能になる。係止要素４は次に、おおよそ４分の１回転だけ回転させられ、図２Ｂに例示された位置である係止位置へと変わる。
【００１８】
例示された好ましい変形例によれば、固定及び係止装置が、組立方向Ｄでアクセス可能であることが判る。しかしながら、係止作業を行うために組立後に一部を動かす必要なしに、係止要素４になおも容易にアクセス可能でありかつ取り扱えるように、好ましくはこの組立方向Ｄに対して４５度未満の角度を形成する、実質的に別の方向での操作を想定できる。係止要素４は、好ましくは表示要素の可視側面１１上に、表示要素１の周縁部で支持体５内に配置されたボア５１に係合された軸４１を含む。係止要素４は、頭部４２も含み、頭部は、好ましくはねじ頭のように、頭部の直径に沿って伸長する切り欠き２１内に係合する外部工具によって回転自在に作動できる。頭部４２と同心の切頂カラー４３は、表示要素１の外側に向かって配置される組立要素２の切り欠き２１内に係合される。表示要素１の外側の、この切り欠き配置は、表示要素１が、例えばその可視面から周縁部を介してのみ固定できる文字盤である時に必要である。しかしながら、代替的な実施態様によれば、例えば孔を有する部品に関しては、オリフィスから挿入された係止部分４を介して前記部品を係止することを想定できる。かかる場合に、切り欠き２１は表示要素１の内側に向けて配置される。
【００１９】
本発明による種々の係止部品の構成は、好ましくは半回転に相当する１８０度未満、かつ好ましくは約９０度、すなわち４分の１回転の角度を通して、頭部４２を回転することにより、係止作業を容易に実行できるようにし、その結果作業は非常に素早く、かつ容易に実行される。頭部４２が表示要素１の可視面１１から組立方向（Ｄ）でアクセス可能なので、頭部４２のこの回転は、組立要素４の切り欠き２１内でのカラーの非切頂部分を位置決めし、かつ組立手段１がその支持体３に固定された直後に実行できる。従って、反対側から係止要素２にアクセスするために支持体の向きを変えることは、もはや必要でない。それ故にこの構成は、確かに係止作業を容易にするが、これは当業者にとって当然と思われることではない。これまでは反対側で組立要素２の内部に向かって係止要素４を位置決めすることを意味していたのに、係止部品４に必要とされる追加空間が表示要素１の周縁部だからである。先行技術のこの解決法は、係止部品４が、表示要素１の反対側で容易に隠せるようになるという利点も提供した。
【００２０】
組立要素２へのカラー４３の挿入を容易にするために、組立要素２の材料よりも硬質の材料を選択して前記カラーを形成し、切り欠き２１へのその貫通を容易にすることができる。係止作業の前に、組立要素内にいかなる切り欠きも形成しないことも想定でき、かつ切り欠き２１を、選択された２つの材料の間の相対的硬度差により、単純に係止要素の頭部４２の回転によって作り出すこともできる。この目的で組立要素２の硬度を減少させることは、これらの要素をその支持体３に押し込む予備作業を更に容易にする。
【００２１】
当業者であれば、本発明の範囲から逸脱せずに、他の変形例を想定できることを理解するであろう。特に、係止要素４及び組立要素２、並びにこれらの要素上に、互いに嵌合するように配置される「雄型」及び「雌型」要素に関して様々な幾何学的形態が想定できる。これらの要素は、以上に記載された好ましい実施態様によるカラー４３及び切り欠き２１によって形成される。しかしながら、係止要素４及び組立要素２上に、１つ以上の雌型要素を配置することが可能であろう。
【符号の説明】
【００２２】
１…表示要素、１１…表示手段の可視面、１’…文字盤、２…表示手段を組み立てる要素、２１…組立要素の切り欠き、２’…文字盤足部、３…表示要素の支持体、３１…表示要素の支持体内のボア、３２…表示要素の周縁側壁、３’…プレート、３１’…プレート内の第１ボア、３２’…プレート内の第２ボア、４…係止要素、４１…係止要素の軸、４２…係止要素の頭部、４３…係止要素のカラー、４４…係止要素の切頂面、４’…係止キー、４１’…係止キーの軸、４２’…係止要素の頭部、４３’…係止キーのカラー、５…係止要素の支持体、５１…係止要素の支持体内のボア、６…電池室、Ｄ…組立方向、Ａ−Ａ…図２Ｂの断面方向
【図１】
0005478590.tif 000002
【図２Ａ】
0005478590.tif 000003
【図２Ｂ】
0005478590.tif 000004